(57)【特許請求の範囲】
【請求項１】
表示部と、操作部と、前記操作部への操作に基づいて前記表示部に操作画面およびガイダンス画面を表示する制御部を有する可搬式の表面性状測定機であって、
前記操作画面は、所定の機能を起動する一つ以上のボタンおよびガイダンス画面表示用のボタンのアイコン表示を有し、
前記ガイダンス画面は、前記操作画面に表示された前記ボタンのアイコンおよび機能名称をリスト表示するボタンリスト欄と、前記ボタンリスト欄にアイコンおよび機能名称が表示された前記ボタンのうち何れかの前記ボタンの機能説明を表示する説明表示欄とを有し、
前記制御部は、現在の操作画面の表示情報に基づいて前記表示部に前記操作画面を表示し、前記操作部への操作が前記ガイダンス画面表示用のボタンによるガイダンス要求であった場合に、前記表示部に前記ガイダンス画面を表示するとともに、前記ガイダンス画面の前記ボタンリスト欄に表示されている前記ボタンの何れかが指定された際に、指定された前記ボタンの機能説明を前記説明表示欄に表示することを特徴とする表面性状測定機。
【請求項２】
請求項１に記載した表面性状測定機において、
前記ガイダンス画面は、現在の前記操作画面に含まれるボタンの数が前記ボタンリスト欄の最大ボタン数以下であれば単頁表示用フォーマットで表示され、現在の前記操作画面に含まれるボタンの数が前記ボタンリスト欄の最大ボタン数より大きければ複数頁表示用フォーマットで表示されることを特徴とする表面性状測定機。
【請求項３】
請求項１または請求項２に記載した表面性状測定機において、
前記アイコン表示は、前記ボタンの機能を図形で示す図形表示アイコンと、前記ボタンの機能を略語で示す文字表示アイコンと、の何れかがシステム設定に基づいて選択されることを特徴とする表面性状測定機。
【請求項４】
請求項１から請求項３の何れか一項に記載した表面性状測定機において、
前記機能名称および前記機能説明は、それぞれ複数の表示言語の何れかがシステム設定に基づいて選択されることを特徴とする表面性状測定機。
【発明の詳細な説明】
【技術分野】
【０００１】
本発明は、表面性状測定機に関し、特に可搬式の表面性状測定機に関する。
【背景技術】
【０００２】
従来、被測定物の表面粗さや表面形状などの表面性状を測定する表面性状測定機が知られている（例えば、特許文献１など）。
これは、スタイラスを被測定物の表面に接触させ、この状態においてスタイラスを被測定物の表面に沿ってトレースさせ、被測定物の表面性状に応じてスタイラスをトレース方向と交差する方向へ変位させることにより、このスタイラスの変位量から被測定物の表面性状を測定することができるものである。  
【０００３】
表面性状測定機は、被測定物の表面の微小な凹凸（表面粗さ）から、表面のうねりないし輪郭形状のような幅広いレンジでの測定を切り替えて行うことができる。また、測定データの集計ないし統計処理までを実行し、表示できるようになっている。
なかでも、特許文献１に示すような小型の表面性状測定機は、前述した各種機能が一体に組み込まれており、単体で各種測定が実行できる。そして、このような小型の表面性状測定機は、その可搬性を生かして様々な現場に持ち運ばれて測定に利用される。
【０００４】
このような多機能を有する小型の表面性状測定機を利用する場合、この装置を操作するユーザに対する表示性あるいは操作性に配慮が必要である。
例えば、このような表面性状測定機は、小型であることから本体の表示部分も大きさが制約され、一度に表示できる情報量が制限される。このために、略語やいわゆるアイコンを用いたユーザインターフェイスが採用されることが多い。一方、このような表面性状測定機は、多機能を有することから、表示内容は多岐にわたり、類似した略語やアイコンが膨大な数にのぼる。このため、熟練したユーザでも識別が難しいことがあり、不慣れなユーザあるいは操作を頻繁に行わないユーザにあっては、略語やアイコンが理解できなくなる可能性がある。
【０００５】
このような略語やアイコンの識別を補助するために、操作マニュアルを参照することができる。しかし、測定現場へ携行される小型の表面性状測定機においては、例え携帯用の簡易マニュアルであっても、同時に持ち歩くことはもちろん、作業時に取り出して参照することはユーザにとって煩雑であり、作業効率を低下させる原因となっていた。
【０００６】
このような問題に対し、画面上に説明を表示する機能、いわゆるガイダンス画面、ヘルプ画面が知られている。
特許文献２では、粒度分布測定装置の表示条件設定画面に、各パラメータに対応したヘルプボタンを配置し、このボタンを操作することで該当するパラメータの説明文（ガイダンス）の画面が表示される。
【０００７】
特許文献３は、商店で利用されるラベルプリンタ等の電子機器に、その操作キーの一つとしてヘルプキーを設け、その操作により表示部に「ガイダンス一覧」を表示させ、その中から不明な操作キー項目を選択することで、各機能に関するガイダンスを画面表示させることができる。
特許文献４は、複写機やファクシミリ装置などの電子機器に、その操作キーの一つとしてヘルプキーを設け、その操作により表示部に「ヘルプ第１画面」（リスト表示画面）を表示させ、その中から所望の項目を選択することで、各機能に関する「ヘルプ第２画面」（原稿サイズ選択案内画面など）を画面表示させることができる。
【先行技術文献】
【特許文献】
【０００８】
【特許文献１】特開２０１１−１６９６１６号公報
【特許文献２】特開２００３−１９４７０２号公報
【特許文献３】特開平１０−２２６１４２号公報
【特許文献４】特開２００７−２２３２３６号公報
【発明の概要】
【発明が解決しようとする課題】
【０００９】
前述したように、画面上で操作説明を表示するヘルプ機能あるいはガイダンス機能は、特許文献２〜４で知られた技術である。
しかし、特許文献２〜４は、それぞれ据え置き型の装置に適用されるものであり、このため表示画面に余裕があり、特許文献１のような小型の装置の小さな表示画面には十分な対応ができないという問題がある。
例えば、特許文献２では、機能項目毎にヘルプボタンを設置するが、小型の表示画面には機能が類似した多数のボタンを配置する余裕はない。
【００１０】
また、特許文献３，４では、いわゆるパーソナルコンピュータ等で利用されるヘルプ機能と同様に、ガイダンス項目を一覧表示するガイダンスメニュー画面（ガイダンス一覧あるいはヘルプ第１画面など）を経由し、各項目のガイダンスを表示するようにしている。このため、一操作で所望のガイダンスに辿り着けず、作業効率的に採用が難しい。特に、特許文献１のような小型の表示画面において、多数の項目を含むガイダンスメニュー画面を表示しようとすると、ガイダンスメニュー画面だけで複数頁にわたり切り替えが必要になる可能性がある。
【００１１】
本発明の主な目的は、表示画面が小さな可搬式の表面性状測定機において、必要十分なガイダンス項目を効率よく表示できるようにすることである。
【課題を解決するための手段】
【００１２】
本発明は、表示部と、操作部と、前記操作部への操作に基づいて前記表示部に操作画面およびガイダンス画面を表示する制御部を有する可搬式の表面性状測定機であって、
前記操作画面は、所定の機能を起動する一つ以上のボタンおよびガイダンス画面表示用のボタンのアイコン表示を有し、
前記ガイダンス画面は、前記操作画面に表示された前記ボタンのアイコンおよび機能名称をリスト表示するボタンリスト欄と、前記ボタンリスト欄にアイコンおよび機能名称が表示された前記ボタンのうち何れかの前記ボタンの機能説明を表示する説明表示欄とを有し、
前記制御部は、現在の操作画面の表示情報に基づいて前記表示部に前記操作画面を表示し、前記操作部への操作が前記ガイダンス画面表示用のボタンによるガイダンス要求であった場合に、前記表示部に前記ガイダンス画面を表示するとともに、前記ガイダンス画面の前記ボタンリスト欄に表示されている前記ボタンの何れかが指定された際に、指定された前記ボタンの機能説明を前記説明表示欄に表示することを特徴とする。
【００１３】
このような本発明においては、表面性状測定機の表示部に、表面性状測定機の現状に応じた操作画面が表示される。この状態で、操作部からガイダンス要求を行うことで、現状の操作画面に応じたガイダンス画面が表示される。
ガイダンス画面は、操作画面に含まれるボタンのアイコンと、同ボタンの機能名称とをボタンリスト欄に表示する。従って、操作画面でアイコン表示されていた何れかのボタンについて、ユーザがその機能を認識できなかった場合、ガイダンス画面のボタンリスト欄に表示された各ボタンの機能名称から、各ボタンの機能を認識することができる。
さらに、機能名称だけでは各ボタンの機能が認識できない場合、ユーザがボタンリスト欄で当該ボタンを指定することで、当該ボタンの詳しい機能説明が説明表示欄に表示される。これにより、各ボタンの機能をユーザにガイダンスすることができる。
【００１４】
このような本発明によれば、操作画面から最初に呼び出されるガイダンス画面において、ユーザはボタンリスト欄の表示ボタンの機能名称からボタンの機能を直ちに認識することができる。そして、ユーザが機能名称だけでは認識できない場合でも、何れかのボタンを指定することで機能説明が表示されることで、同じガイダンス画面において詳しい説明を見ることができ、ガイダンス画面からのさらなる画面切り替えなしに詳細までが認識できることになる。従って、表示画面が小さな可搬式の表面性状測定機においても、必要十分なガイダンス項目を効率よく表示することができる
【００１５】
本発明において、前記ガイダンス画面は、現在の前記操作画面に含まれるボタンの数が前記ボタンリスト欄の最大ボタン数以下であれば単頁表示用フォーマットで表示され、現在の前記操作画面に含まれるボタンの数が前記ボタンリスト欄の最大ボタン数より大きければ複数頁表示用フォーマットで表示されることが望ましい。
【００１６】
このような本発明では、ボタンの数がボタンリスト欄の最大ボタン数以下であれば単頁表示用フォーマットでの表示が行われ、前述した通りガイダンス画面からのさらなる画面切り替えなしに詳細までが認識できることになる。
本発明に係る小型の表面性状測定機は、基本的に画面が小さく、操作画面において表示されるボタン数が比較的少ない。このため、多くの操作画面が前述した単頁表示用フォーマットで表示可能であり、そのように最大ボタン数を設定することができる。
一方、どうしても操作画面のボタン数が最大ボタン数以上となる場合でも、複数頁表示用フォーマットを利用することでページ切り替えを伴うガイダンス画面とすることができる。このような状況は、操作画面の小さな小型の表面性状測定機においては希な状況とすることができ、全体としてのガイダンス画面の表示効率に影響しない程度にとどめることができる。
【００１７】
本発明において、前記アイコン表示は、前記ボタンの機能を図形で示す図形表示アイコンと、前記ボタンの機能を略語で示す文字表示アイコンと、の何れかがシステム設定に基づいて選択されることが望ましい。
このような本発明では、操作画面におけるボタンのアイコン表示を、ユーザの好みに応じて図形表示アイコンと文字表示アイコンとの何れかから選択することができる。この選択は、他の多くの機能設定と同様に、予めユーザがシステム設定しておけばよい。
【００１８】
本発明において、前記機能名称および前記機能説明は、それぞれ複数の表示言語の何れかがシステム設定に基づいて選択されることが望ましい。
このような本発明では、ガイダンス画面における機能名称および機能説明を、ユーザの好みに応じた言語、例えば日本語、英語、中国語、スペイン語等の何れかから選択することができる。この選択は、他の多くの機能設定と同様に、予めユーザがシステム設定しておけばよい。
【図面の簡単な説明】
【００１９】
【図１】本発明の一実施形態の装置全体を示す斜視図。
【図２】前記実施形態の機能構成を示すブロック図。
【図３】前記実施形態で使用する操作画面リストの模式図。
【図４】前記実施形態で使用する操作ボタンリストの模式図。
【図５】前記実施形態で使用するガイダンス画面フォーマットの模式図。
【図６】前記実施形態の処理を示すフロー図。
【図７】前記実施形態の操作画面およびガイダンス画面を示す模式図。
【図８】前記実施形態の操作画面およびガイダンス画面を示す模式図。
【図９】前記実施形態の操作画面およびガイダンス画面を示す模式図。
【図１０】前記実施形態の設定画面を示す模式図。
【図１１】前記実施形態のアイコン表示の切り替えを示す模式図。
【図１２】前記実施形態のアイコン表示の切り替えを示す模式図。
【発明を実施するための形態】
【００２０】
以下、本発明の一実施形態について図面を参照して説明する。
図１は可搬式の表面性状測定機の外観を示す斜視図、図２は同測定機の内部機構を示す図である。  これらの図に示すように、本実施形態の表面性状測定機１は、電装部２と駆動検出部３とを有する。
【００２１】
電装部２は、ケース２０の表面にタッチパネルディスプレイ等の表示部２１、シートスイッチ等の操作部２２を有するとともに、ケース２０の内部に記憶デバイス等の記憶部２３および本発明の制御装置である制御部２４を有する。
制御部２４は、小型コンピュータシステムで構成され、記憶部２３に記憶された動作プログラムに基づいて表面性状測定機１の各部を制御して各種処理を実行する。
ケース２０の表面には印刷装置２５が設置されているとともに、ケース２０の側面には入出力端子２６が設置されている。
【００２２】
駆動検出部３は、ケース３０内に移動ブロック３１を有し、この移動ブロック３１は図示しないガイドレールにより所定の移動方向（図中左右方向）へ移動可能に支持されている。
移動ブロック３１の移動方向と平行に、ボールねじ軸３２が設置されている。ボールねじ軸３２は駆動源である電動モータ３３で回転駆動されるとともに、ボールねじ軸３２の回転角度位置は回転エンコーダ３４で検出される。ボールねじ軸３２にはボールナット３５が螺合され、このボールナット３５は移動ブロック３１に接続されている。
電動モータ３３および回転エンコーダ３４は制御部２４に接続され、制御部２４は回転エンコーダ３４からの回転角度位置を監視しつつ電動モータ３３を動作制御することで、ボールねじ軸３２を回転させて移動ブロック３１を任意位置へと移動させることができる。これらのボールねじ軸３２、ボールナット３５、電動モータ３３および回転エンコーダ３４により駆動機構３９が構成されている
【００２３】
移動ブロック３１の先端側はケース３０の側面開口から露出され、露出された側にはアーム３６が設置され、アーム３６の先端にはスタイラス３７が固定されている。
アーム３６は移動ブロック３１の移動方向に沿って延びているとともに、移動ブロック３１に揺動自在に軸支されている。アーム３６の揺動によりアーム３６の先端およびスタイラス３７が縦方向（図中上下方向）に変位する。移動ブロック３１内にはアーム３６の揺動角度を検出する検出器３８が設置され、この検出器３８でアーム３６の角度を検出することで、スタイラス３７の変位を検出することができる。
図１に示すように、スタイラス３７がワーク４の表面をトレースし、同表面の凹凸により上下に変位した際には、検出器３８からの検出信号が制御部２４に送られて処理され、表面性状（表面粗さ、うねり、輪郭形状など）の測定値として表示、印刷あるいは記録等される。
なお、図１において、ワーク４に対するスタイラス３７の高さや傾きを調節するために、ケース３０は上下傾斜ユニット３Ｓで支持されている。
【００２４】
本実施形態の表面性状測定機１では、本発明に基づくガイダンス画面表示を行うために、図３〜図５に示す表示情報が記憶部２３に記憶されている。
そして、図６に示す手順で制御部２４が表示動作を行うことで、本発明に基づくガイダンス画面表示が実行される。
【００２５】
図３において、操作画面リスト５０は、表示部２１に表示される複数の操作画面に関する表示情報を記録したものである。
操作画面リスト５０は、識別記号５１で識別されるデータセットに各操作画面の表示情報をまとめたものである。各操作画面のデータセットは、操作画面の枠組みおよび背景となる画像データである画面フォーマット５２、操作画面に表示される測定データを指定する表示項目５３、操作画面に表示される操作用のボタンを指定する表示ボタン指定５４、前項のボタンの数を示すボタン数５５の各データを含んでいる。
このうち表示ボタン指定５４は、後述する操作ボタンリスト６０に記録された各ボタンのデータをその識別記号で指定する。
【００２６】
図４において、操作ボタンリスト６０は、表示部２１に表示される複数の操作画面に配置される操作用のボタンに関するデータを記録したものである。
操作ボタンリスト６０は、識別記号６１で識別されるデータセットに操作用の各ボタンの表示情報をまとめたものである。各ボタンのデータセットは、そのボタンが操作された際に実行される処理を規定する機能６２、ボタンとして表示される画像データである図形表示アイコン６３および文字表示アイコン６４（６４Ｊ，６４Ｅ，６４Ｃ）、そのボタンの名称である機能名称６５（６５Ｊ，６５Ｅ，６５Ｃ）、そのボタンの機能を詳しく説明した機能説明６６（６６Ｊ，６６Ｅ，６６Ｃ）の各データを含んでいる。
【００２７】
このうち、図形表示アイコン６３は、そのボタンの機能を模式的に示したものの画像データとされている（図１１および図１２の左側の画像参照）。また、文字表示アイコン６４は、そのボタンの名称を略号化したものの画像データとされている（図１１および図１２の右側の画像参照）。
文字表示アイコン６４、機能名称６５および機能説明６６は、それぞれ言語別の文字表示アイコン６４Ｊ，６４Ｅ，６４Ｃ、機能名称６５Ｊ，６５Ｅ，６５Ｃおよび機能説明６６Ｊ，６６Ｅ，６６Ｃで構成される。
文字表示アイコン６４Ｊは、そのボタンの機能を示す日本語表示の文字を含むアイコン画像であり（図１１右側参照）、機能名称６５Ｊおよび機能説明６６Ｊは「ボタンの名称」および「そのボタンの詳しい機能説明」の日本語表示（図１０左側および図１１参照）である。文字表示アイコン６４Ｅは、そのボタンの機能を示す英語表示の文字を含むアイコン画像（図１２右側参照）であり、機能名称６５Ｅおよび機能説明６６Ｅは同じ内容の英語表示（図１０右側および図１２参照）である。同様に、文字表示アイコン６４Ｃ、機能名称６５Ｃおよび機能説明６６Ｃは同じ内容の中国語表示である（図示省略）。これらの多国語表示は、一部の言語を省略してもよく、必要に応じて他の言語での表示を更に追加してもよい。
これらの操作用のボタンのデータは、前述した操作画面リスト５０の各データ中の表示ボタン指定５４から呼び出されるとともに、後述するガイダンス画面フォーマット７０からも呼び出される。
【００２８】
図５において、ガイダンス画面フォーマット７０は、表示部２１に表示される複数のガイダンス画面に関するデータを記録したものである。ガイダンス画面フォーマット７０は、単頁表示用フォーマット７０Ｓと、複数頁表示用フォーマット７０Ｐとを有する。
単頁表示用フォーマット７０Ｓは、画面の上段にボタンリスト欄７１を有し、その直下に説明表示欄７２を有する。
【００２９】
ボタンリスト欄７１は、左右に４行づつ計８つの表示枠を有し、各表示枠の左端はボタンのアイコン表示７３とされ、その右側はボタンの機能名称表示７４とされている。このボタンリスト欄７１には、ガイダンス画面が表示される際に、このガイダンス画面を呼び出した元の操作画面に表示されていた操作用のボタンについての情報が表示される。
例えば、呼び出し元の操作画面が、図３の操作画面リスト５０における識別記号５１が「Ｆ００１」のデータセットで指定される操作画面であったとすると、そのデータセットの表示ボタン指定５４に登録されていたボタン「Ｂ００１，Ｂ００２…」が操作画面に表示されていたことになり、ここで指定されるボタン「Ｂ００１，Ｂ００２…」についての表示情報を、図４の操作ボタンリスト６０から読み出し、ボタンとして表示される画像データである図形表示アイコン６３または文字表示アイコン６４をアイコン表示７３に表示するとともに、機能名称６５を機能名称表示７４に表示する。
【００３０】
説明表示欄７２は、二行分の文章の表示枠を有する。この説明表示欄７２には、前述したボタンリスト欄７１上の何れかのボタン表示を指定（例えばタッチ操作）することにより、指定されたボタンについての詳しい情報が表示される。
例えば、ボタンリスト欄７１の左上の表示枠に表示されているのが、図４の操作ボタンリスト６０における識別記号６１が「Ｂ００１」のデータセットで指定されるボタンであったとする。この表示枠のアイコン表示７３には、そのデータセットの図形表示アイコン６３または文字表示アイコン６４が表示され、同じく機能名称表示７４には機能名称６５が表示されている。ここで、アイコン表示７３または機能名称表示７４をタッチ操作する等により指定すると、当該ボタンのデータセットの機能説明６６が選択され、説明表示欄７２にこの機能説明６６を表示する。
単頁表示用フォーマット７０Ｓの右下には、ガイダンス画面の表示を終了するための終了ボタン７５が設置されている。
【００３１】
以上のような単頁表示用フォーマット７０Ｓは、ボタンリスト欄７１が８つの表示枠で構成され、一画面に８つのボタンまで対応可能である。例えば、図３の操作画面リスト５０における識別記号５１が「Ｆ００１」のデータセットでは、ボタン数５５が「７」であるので、この操作画面に対するガイダンス画面は単頁表示用フォーマット７０Ｓを用いることができる。
一方、図３の操作画面リスト５０における識別記号５１が「Ｆ００２」のデータセットでは、ボタン数５５が「１１」であるので、この操作画面に対するガイダンス画面としては、単頁表示用フォーマット７０Ｓではなく、複数頁表示用フォーマット７０Ｐを用いる。
【００３２】
複数頁表示用フォーマット７０Ｐは、前述した単頁表示用フォーマット７０Ｓと同様なボタンリスト欄７１、説明表示欄７２、アイコン表示７３、機能名称表示７４および終了ボタン７５を備えている。さらに、複数頁表示用フォーマット７０Ｐは、画面の左下にページ送り用の次頁ボタン７６とページを戻るための前頁ボタン７７とを備えている。
複数頁表示用フォーマット７０Ｐを用いたガイダンス画面表示では、複数のガイダンス画面表示が割り当てられ、例えば、前述した図３の操作画面リスト５０における識別記号５１が「Ｆ００２」のデータセットのようにボタン数５５が「１１」である場合、第１頁にボタンの１番目から８番目を、第２頁にボタンの９番目から１１番目を、それぞれ表示する。そして、第１頁および第２頁は、次頁ボタン７６および前頁ボタン７７を用いて切り替えることができる。各ページにおいては、前述した単頁表示用フォーマット７０Ｓと同様に、ボタンリスト欄７１のボタン表示の指定により、その機能説明を説明表示欄７２に表示させることができる。
【００３３】
本実施形態においては、制御部２４が記憶部２３に記憶された動作プログラムに基づいて動作を行う。そして、制御部２４は、操作部２２に対するユーザの操作に基づいて、記憶部２３から必要なデータおよびフォーマットを読み出し、表示部２１に操作画面あるいはガイダンス画面を表示させる。
なお、制御部２４は、現在のシステム状態として、現在の操作画面の指定情報（現在どのような測定モードで何に関する測定を行っているか等）、表示言語（日本語か英語か中国語か等）および操作ボタン表示モード（アイコンは図形表示か文字表示か）の情報を記録している。
【００３４】
図６において、制御部２４は、現在のシステム状態を参照し、表示言語（日本語か英語か中国語か）の指定と、表示モード（図形表示/文字表示の別）の指定を読み込む（処理Ｐ１０）。
次に、現在の操作画面として該当するものを操作画面リスト５０（図３参照）から選択し、その操作画面の表示情報を取得する（処理Ｐ１１）。
具体的には、現在の操作画面を示す識別記号（「Ｆ００１」等）に合致するものを識別記号５１から検索し、該当したデータセットの画面フォーマット５２、表示項目５３および表示ボタン指定５４を表示情報として読み出す。
【００３５】
取得した表示情報のうち、表示ボタン指定５４に指定されたボタンについては、これらを画面表示するために、制御部２４は、操作ボタンリスト６０（図４参照）から該当するボタンの表示情報を取得する（処理Ｐ１２）。
具体的には、現在の操作画面に表示するボタンを示す識別記号（「Ｂ００１」等）に合致するものを識別記号６１から検索し、現在のシステム状態に基づいて該当したデータセットの図形表示アイコン６３または文字表示アイコン６４を読み出す。
【００３６】
これらの表示情報が取得できたら、制御部２４は、操作画面を表示部２１に表示し、操作部２２に対するユーザの入力を待機する（処理Ｐ１３）。
表示にあたっては、選択した画面フォーマット５２の情報に基づいて画面を構成し、所定の領域に表示項目５３で指定された測定値などの情報を表示し、所定の部位に操作用のボタンとなる図形表示アイコン６３または文字表示アイコン６４を表示する。
【００３７】
図７左側には、このようにして表示された操作画面８０の一例が示されている。
この操作画面８０の基本構成は、画面フォーマット５２の情報に基づいて設定される。すなわち、上段に日付表示８０Ａおよび状態表示８０Ｂが配置され、その下の行に現在の設定表示８０Ｃが配置され、操作画面８０の中段には測定値表示８０Ｄが配置されている。
設定表示８０Ｃの左右には「Ａ」および「ＡＵＴＯ」と表記されたボタン８０１，８０２が配置され、操作画面８０の最下段にも図形表示のボタン８０３〜８０６が設置されている。さらに、最下段の左端にはガイダンス画面表示用のボタン８０Ｇが設置されている。
これらの表示のうち、操作用の各ボタン８０１〜８０６，８０Ｇのアイコン画像は操作ボタンリスト６０（図形表示アイコン６３または文字表示アイコン６４）から提供され、その他の項目、配置、大きさ等は画面フォーマット５２の情報として操作画面リスト５０から提供される。
【００３８】
図６に戻って、前述した図７の操作画面８０等が表示された状態で、ユーザが操作を行うと、制御部２４は操作内容を判断する（処理Ｐ１４）。そして、操作内容がガイダンス要求でなかった場合、ユーザの操作が終了ボタンか否かを判断し（処理Ｐ１５）、終了ボタンであった場合には処理を終了し、そうでない場合には操作内容に応じた処理を実行し、処理Ｐ１３に戻る。
操作内容に応じた処理としては、測定動作の開始または終了、設定モードへの移行、画面の切り替えなどがある。
一方、操作内容がガイダンス要求であった場合、ガイダンス画面の表示に移る。
【００３９】
図７右側には、ガイダンス画面９０の一例が示されている。
このガイダンス画面９０は、図５で説明した単頁表示用フォーマット７０Ｓを使用したものであり、ボタンリスト欄７１および説明表示欄７２を有し、ボタンリスト欄７１には８組のアイコン表示７３および機能名称表示７４が表示できる。ガイダンス画面９０の右下には、ガイダンス画面の表示を終了するための終了ボタン７５が設置されている。
このガイダンス画面９０を呼び出した操作画面８０（図７左側）では、操作ボタン８０１〜８０６が計６つであるので、ガイダンス画面９０（図７右側の）のボタンリスト欄７１には６組のアイコン表示７３および機能名称表示７４が表示されている。
【００４０】
図６に戻って、このようなガイダンス画面９０の表示を行うために、制御部２４では次のような処理を行う。
先ず、制御部２４は、システム設定を参照し、現在の操作画面の表示情報を参照し、画面モード（一画面/複数画面の別）を選択する（処理Ｐ２２）。具体的には、現在の操作画面に該当する操作画面リスト５０中のデータセットに指定されたボタン数を参照し、ボタン数が「８」以下であった場合には一画面（単頁表示）、「８」を超えていた場合には複数画面（複数頁表示）を選択する。
【００４１】
この選択の後、制御部２４は、ガイダンス画面フォーマット７０（図５参照）から、単頁表示用フォーマット７０Ｓまたは複数頁表示用フォーマット７０Ｐを取得し、これらの何れかに基づいてガイダンス画面９０を構成する（処理Ｐ２３）。
この際、制御部２４は、操作画面リスト５０の現在の操作画面に対応するデータセットの表示ボタン指定５４から、現在の操作画面８０に表示されているボタンの指定を読み込み、該当するボタンのアイコン（図形表示アイコン６３または文字表示アイコン６４）および機能名称６５を読み込み（処理Ｐ２４）、ボタンリスト欄７１のアイコン表示７３および機能名称表示７４に表示できるようにする。
これらによりガイダンス画面９０が構成できたら、制御部２４は、ガイダンス画面９０を表示部２１に表示し、操作部２２に対するユーザの入力を待機する（処理Ｐ２５）。
【００４２】
ガイダンス画面９０が表示された状態で、ユーザが操作を行うと、制御部２４は操作内容を判断する（処理Ｐ２６）。操作内容がページ切り替えであった場合については後述する。操作内容がページ切り替えでなかった場合、何れかのボタンの指定されていた場合、制御部２４は、指定されたボタンの機能説明を操作ボタンリスト６０の機能説明６６から読み出し、説明表示欄７２に表示する（処理Ｐ２７）。それ以外の操作に対しては、終了ボタン７５の操作であるかを判断し（処理Ｐ２８）、終了ボタン７５であった場合には処理Ｐ１１に戻る。
以上のような処理により、単頁表示用フォーマット７０Ｓを用いたガイダンス画面９０の表示が実行される。
【００４３】
次に、複数頁表示用フォーマット７０Ｐを用いたガイダンス画面について説明する。
図８において、図中左側に示す３つの操作画面８１Ａ〜８１Ｃは、測定値を統計処理して「Ｒａ」値、「Ｒｑ」値および「Ｒｚ」値を示す画面であり、操作画面８１Ａが測定前の状態（測定データがない状態）、操作画面８１Ｂが測定中の状態（統計処理がｏｎ）、操作画面８１Ｃが測定中の状態（統計処理がｏｆｆ）を示す。
【００４４】
これらの操作画面８１Ａ〜８１Ｃは、それぞれ共通の状態表示あるいは数値表示欄を有するとともに、操作用のボタン８１１〜８１５，８１８，８１９、ガイダンス画面表示用のボタン８１Ｇを備えている。これに加えて、操作画面８１Ｂは、ページ送り用のボタン８１Ｆ、前ページに戻るボタン８１Ｒおよび操作用のボタン８１６，８１７を備えている。
操作画面８１Ａ，８１Ｃにおいてガイダンスの対象はボタン８１１〜８１５，８１８，８１９の７つであるが、操作画面８１Ｂではボタン８１６，８１７を含めた９つであり、単頁表示用フォーマット７０Ｓのボタンリスト許容値「８」を超える。
このため、操作画面８１Ｂのガイダンス画面９１は、複数頁表示用フォーマット７０Ｐを用いてガイダンス画面９１Ａ，９１Ｂの二画面で表示される（図８右側参照）。
【００４５】
第１ページであるガイダンス画面９１Ａには、ボタンリスト欄７１に、操作画面８１のボタン（計９つ）のうち、最大数である８つのボタン８１１〜８１５，８１８が表示される。
第２ページであるガイダンス画面９１Ｂには、ボタンリスト欄７１に、操作画面８１のボタンのうち、ガイダンス画面９１Ａで表示されなかった残りのボタン８１９が表示される。
各々には、終了ボタン７５の左に、ページ送り用の次頁ボタン７６とページを戻るための前頁ボタン７７とが表示される。これらの次頁ボタン７６および前頁ボタン７７により、ガイダンス画面９１Ａ，９１Ｂは相互に行き来することができる。
【００４６】
前述したように、操作画面８１Ａ，８１Ｃにおいてガイダンスの対象はボタン８１１〜８１５，８１８，８１９の７つであり、単頁表示用フォーマット７０Ｓを用いた表示とすることができる。つまり、操作画面８１Ａ，８１Ｃが表示されている状態でガイダンス画面を表示させると単頁表示で表示され、操作画面８１Ｂが表示されている状態でガイダンス画面を表示させると複数頁表示で表示されるような設定が可能である。
一方、本実施形態では、操作画面８１Ａ，８１Ｂ、８１Ｃの関連性が高いことから、全てに操作画面８１Ｂに適用される複数頁表示のガイダンス画面９１Ａ，９１Ｂを用いる。
これにより、関連性の高い操作画面８１Ａ，８１Ｃと操作画面８１Ｂとでガイダンス画面が異なるという状況を回避することができ、ユーザにとって見やすいガイダンス画面を提供することができる。
【００４７】
図９において、図中左側に示す３つの操作画面８２Ａ〜８２Ｃは、測定値をグラフ表示する画面である。
これらの操作画面８２Ａ〜８２Ｃは、それぞれ共通の状態表示あるいはグラフ表示領域を有するとともに、操作用のボタン８２１〜８２４，８２８、ガイダンス画面表示用のボタン８２Ｇを備えている。一方、操作画面８２Ａは操作用のボタン８２５Ａ〜８２７Ａを備えるが、同じ部位のボタンが、操作画面８２Ｂでは操作用のボタン８２５Ｂ〜８２７Ｂとなり、操作画面８２Ｃでは操作用のボタン８２５Ｃ〜８２７Ｃとなる。
従って、関連する３枚の操作画面８２Ａ〜８２Ｃでは、合計１４個のボタンを用いることになる。このため、これらの操作画面８２Ａ〜８２Ｃから呼び出されるガイダンス画面９２は共通化され、各々複数頁表示用フォーマット７０Ｐを用いたガイダンス画面９２Ａ，９２Ｂの二画面で表示される（図９右側参照）。
【００４８】
第１ページであるガイダンス画面９２Ａには、ボタンリスト欄７１に、操作画面８２Ａ〜８２Ｃのボタン（計１４個）のうち、最大数である８つのボタン８２１〜８２４，８２５Ａ〜８２７Ａ，８２５Ｂまでが表示される。
第２ページであるガイダンス画面９２Ｂには、ボタンリスト欄７１に、ガイダンス画面９２Ａで表示されなかった残りのボタン８２６Ｂ〜８２７Ｂ、８２５Ｃ〜８２７Ｃ、８２８が表示される。
各々には、終了ボタン７５の左に、ページ送り用の次頁ボタン７６とページを戻るための前頁ボタン７７とが表示される。これらの次頁ボタン７６および前頁ボタン７７により、ガイダンス画面９２Ａ，９２Ｂは相互に行き来することができる。
【００４９】
このように、関連性の高い操作画面８２Ａ〜８２Ｃでガイダンス画面９２Ａ，９２Ｂを共用することで、ユーザにとって見やすいガイダンス画面を提供することができる。
ただし、操作画面８２Ａ〜８２Ｃは、それぞれ操作用のボタンが一画面に８つであるため、各々に対応した単頁表示のガイダンス画面を設定してもよい。
【００５０】
前述した通り、本実施形態の表面性状測定機１は、日本語、英語および中国語を含む複数言語に対応している。
図１０において、例えばメインメニューは、システム設定の表示言語が日本語に設定されている場合にはメインメニュー画面８３Ａのように表示され、表示言語が英語に設定されている場合にはメインメニュー画面８４Ａのように表示される。
【００５１】
前述した通り、本実施形態の表面性状測定機１は、操作用のボタン表示のアイコンを図形表示アイコン６３または文字表示アイコン６４のなかから選択可能である。この設定は、メインメニューの画面変更メニューから選択することができる。
図１０において、メインメニュー画面８３Ａの「画面変更」ボタン８３１を押すと、「画面変更」画面８３Ｂが開く。更に、「ボタンタイプ」ボタン８３２を押すと、ボタンタイプの設定画面が開く。
【００５２】
図１１上段左側に示すように、「ボタンタイプ」画面８３Ｃで「アイコン」ボタン８３３を選択することで、ボタンのアイコン表示として図形表示モードが選択される。その結果、前述した各操作画面あるいはガイダンス画面で操作用のボタンを表示する際には、図形表示アイコン６３の画像データが使用される。
図１１中段左側に示すように、操作画面８３Ｄにおける操作用のボタンは図形表示されている。そして、ガイダンス画面表示用のボタン８３Ｇを押すことで、図１１下段に示すガイダンス画面９３が表示される。ガイダンス画面９３は、前述したガイダンス画面９０と同様の各構成を備えている。
【００５３】
図１１上段右側に示すように、「ボタンタイプ」画面８３Ｃで「テキスト」ボタン８３４を選択することで、ボタンのアイコン表示として文字表示モードが選択される。その結果、前述した各操作画面あるいはガイダンス画面で操作用のボタンを表示する際には、文字表示アイコン６４の画像データが使用される。
図１１中段右側に示すように、操作画面８３Ｅにおける操作用のボタンは文字表示されている。そして、ガイダンス画面表示用のボタン８３Ｇを押すことで、図１１下段に示すガイダンス画面９３が表示される。ガイダンス画面９３は、前述したガイダンス画面９０と同様の各構成を備えている。
【００５４】
図１１は日本語表示の例であったが、図１２は英語表示の例である。
前述した図１０において、表示言語が英語に設定されている場合のメインメニュー画面８４Ａにおいて、前述した「画面変更」ボタン８３１に対応する「Ｓｃｒｅｅｎ  Ｃｈａｎｇｅ」ボタン８４１を押すと、前述した「画面変更」画面８３Ｂに相当する英語表示の画面が開き、そこで「ボタンタイプ」ボタン８３２に相当するボタンを押すと、図１２上段に示すボタンタイプの設定画面が開く。
図１２に示す画面８４Ｃ，８４Ｄ，８４Ｅ，９４は、それぞれ図１１の画面８３Ｃ，８３Ｄ，８３Ｅ，９３に対応する英語表示の画面である。
【００５５】
図１２上段左側に示すように、「Ｂｕｔｔｏｎ  ｔｙｐｅ」画面８４Ｃで「Ｉｃｏｎ」ボタン８４３を選択することで、ボタンのアイコン表示として図形表示モードが選択される。その結果、前述した各操作画面あるいはガイダンス画面で操作用のボタンを表示する際には、図形表示アイコン６３の画像データ（英文表示）が使用される。
図１２上段右側に示すように、「Ｂｕｔｔｏｎ  ｔｙｐｅ」画面８４Ｃで「Ｔｅｘｔ」ボタン８４４を選択することで、ボタンのアイコン表示として文字表示モードが選択される。その結果、前述した各操作画面あるいはガイダンス画面で操作用のボタンを表示する際には、文字表示アイコン６４の画像データ（英文表示）が使用される。
【００５６】
図１２中段左右に示すように、操作画面８４Ｄ，８４Ｅにおける操作用のボタンは文字表示されている。そして、ガイダンス画面表示用のボタン８４Ｇを押すことで、図１２下段に示すガイダンス画面９４が表示される。ガイダンス画面９４は、前述したガイダンス画面９０と同様の各構成を備えている。
【００５７】
なお、本発明は前述した実施形態に限定されるものではなく、本発明の目的を逸脱しない範囲での変形等は本発明に含まれるものである。
例えば、単頁表示用フォーマットの最大数は８に限らず、他の数であってもよい。ただし、あまり多くすると、小型の表示部２１での表示文字が細かくなりすぎる。一方、あまり少ないと、複数頁表示フォーマットを利用する状況が増し、操作性が低下する。実施にあたっては、これらの事情を考慮して、適切な最大数を設定することが望ましい。
【００５８】
また、ガイダンス画面の表示内容および画面配置は、実施にあたって適宜選択することができる。例えば、機能説明を文章表示する説明表示欄７２は、前記実施形態では２行分としたが、これは１行分だけ、あるいは３行以上であってもよい。
さらに、ガイダンス表示を行うソフトウェアの具体的な手順は、同様の機能が実現できれば他の手順であってもよい。
前述した説明表示欄７２に各ボタンの機能説明を表示させる動作は、ガイダンス画面におけるボタン表示にタッチすることで即座に起動されるとしたが、例えば画面上のボタンをタッチすることで選択され、選択状態で再度タッチすることで説明が表示されるようにしてもよい。
あるいは、ガイダンス画面におけるボタン表示にタッチすることで説明が表示され、この状態で再度タッチすることで該当する機能が実行されるようにしてもよい。
【符号の説明】
【００５９】
１…表面性状測定機
２…電装部
２０…ケース
２１…表示部
２２…操作部
２３…記憶部
２４…制御部
２５…印刷装置
２６…入出力端子
３…駆動検出部
３０…ケース
３１…移動ブロック
３６…アーム
３７…スタイラス
４…ワーク
５０，５０Ａ〜５０Ｃ…操作画面リスト
５１…識別記号
５２…画面フォーマット
５３…表示項目
５４…表示ボタン指定
５５…ボタン数
６０，６０Ａ〜６０Ｃ…操作ボタンリスト
６１…識別記号
６２…機能
６３…図形表示アイコン
６４，６４Ｊ，６４Ｅ，６４Ｃ…文字表示アイコン
６５，６５Ｊ，６５Ｅ，６５Ｃ…機能名称
６６，６６Ｊ，６６Ｅ，６６Ｃ…機能説明
７０…ガイダンス画面フォーマット
７０Ｐ…複数頁表示用フォーマット
７０Ｓ…単頁表示用フォーマット
７１…ボタンリスト欄
７２…説明表示欄
７３…アイコン表示
７４…機能名称表示
７５…終了ボタン
７６…次頁ボタン
７７…前頁ボタン
８０…操作画面
８０１〜８１９，８３１〜８３４，８４１，８４３，８４４…ボタン
８０Ａ…日付表示
８０Ｂ…状態表示
８０Ｃ…設定表示
８０Ｄ…測定値表示
８０Ｇ，８１Ｇ，８２Ｇ，８３Ｇ，８４Ｇ…ガイダンス画面表示用のボタン
８１，８１Ａ〜８１Ｃ，８３Ｄ，８３Ｅ，８４Ｄ，８４Ｅ…操作画面
８１Ｆ…次頁ボタン
８１Ｒ…前頁ボタン
８３Ａ，８４Ａ…メインメニュー画面
８３Ｃ，８４Ｃ…画面
９０，９１，９１Ａ，９１Ｂ，９２，９２Ａ，９２Ｂ，９３，９４…ガイダンス画面
【図１】
0006030320.tif 000002
【図２】
0006030320.tif 000003
【図３】
0006030320.tif 000004
【図４】
0006030320.tif 000005
【図５】
0006030320.tif 000006
【図６】
0006030320.tif 000007
【図７】
0006030320.tif 000008
【図８】
0006030320.tif 000009
【図９】
0006030320.tif 000010
【図１０】
0006030320.tif 000011
【図１１】
0006030320.tif 000012
【図１２】
0006030320.tif 000013